(57)【要約】【課題】複数の表示装置が導入された施設などにおいて、表示装置の延命化に寄与することが期待できる予測システム、予測方法及びコンピュータプログラムを提供する。【解決手段】モニタが接続された端末装置とサーバ装置とがネットワークを介して相互に通信可能なシステム構成とし、端末装置はモニタの輝度値の測定結果を取得してサーバ装置へ送信する。サーバ装置は、各端末装置からの情報に基づいて、各モニタの寿命を予測し、予測結果を通知する。サーバ装置は各モニタの設置場所に係る情報を記憶しておく。サーバ装置は、予測結果を通知する際に、各モニタについてその設置場所及び予測結果を対応付けて通知する。また端末装置は輝度の測定結果と、測定の際の明るさ設定と、測定を行った時期に係る情報とをモニタから取得してサーバ装置へ送信する。【選択図】図５
2015106194.tif 000002
【特許請求の範囲】
【請求項１】
通信回線を介して接続された複数の端末装置が有する表示装置の表示特性の変化を予測する予測システムであって、
前記表示装置の表示特性に係る情報を取得する情報取得手段と、
該情報取得手段が取得した情報に基づいて、前記表示装置の表示特性の変化を予測する予測手段と、
前記表示装置の設置場所に係る情報を記憶する設置場所情報記憶部と
を備え、
前記表示装置毎に設置場所及び前記予測手段による予測結果を対応付けること
を特徴とする予測システム。
【請求項２】
前記設置場所記憶部は、前記端末装置に通信回線を介して接続されたサーバ装置に設けられていること
を特徴とする請求項１に記載の予測システム。
【請求項３】
前記端末装置は、
前記情報取得手段と、
該情報取得手段が取得した情報を前記サーバ装置へ送信する情報送信手段と
を有し、
前記サーバ装置は、
前記情報送信手段が送信した情報を受信する情報受信手段と、
前記予測手段と
を有すること
を特徴とする請求項２に記載の予測システム。
【請求項４】
前記設置場所情報記憶部及び前記情報取得手段は、前記端末装置又は前記表示装置に設けられ、
前記端末装置又は前記表示装置は、前記情報取得手段が取得した情報、及び、前記設置場所情報記憶部が記憶した設置場所情報を、前記端末装置又は前記表示装置に通信回線を介して接続されたサーバ装置へ送信する情報送信手段を有し、
前記サーバ装置は、
前記情報送信手段が送信した情報を受信する情報受信手段と、
前記予測手段と
を有すること
を特徴とする請求項１に記載の予測システム。
【請求項５】
前記表示装置の表示特性を測定する測定手段を更に備え、
前記情報取得手段は、前記測定手段の測定結果及び前記測定手段が測定を行った時期に係る情報を取得するようにしてあること
を特徴とする請求項１乃至請求項４のいずれか１つに記載の予測システム。
【請求項６】
前記測定手段は、前記表示装置が表示を行っている際の輝度を測定するようにしてあり、
前記情報取得手段は、前記測定手段が測定した輝度、前記測定手段が測定を行った際の前記表示装置の明るさ設定に係る情報、及び、前記測定手段が測定を行った時期に係る情報を取得するようにしてあること
を特徴とする請求項５に記載の予測システム。
【請求項７】
前記予測手段は、前記表示装置が表示を行う際の輝度の劣化を予測するようにしてあること
を特徴とする請求項６に記載の予測システム。
【請求項８】
前記表示装置毎の設置場所情報と前記予測手段が予測した結果を対応付けて通知する通知手段を備えること
を特徴とする請求項１乃至請求項７のいずれか１つに記載の予測システム。
【請求項９】
前記通知手段は、前記予測結果に基づいて、前記表示装置の交換候補情報を通知するようにしてあること
を特徴とする請求項８に記載の予測システム。
【請求項１０】
端末装置が有する表示装置の表示特性に係る情報を取得する情報取得ステップと、
該情報取得ステップにて取得した情報に基づいて、前記表示装置の表示特性の変化を予測する予測ステップと
を含み、
前記表示装置の設置場所に係る情報を記憶しておき、
前記表示装置の設置場所、及び、前記予測ステップによる予測結果を対応付けること
を特徴とする予測方法。
【請求項１１】
表示装置を有する複数の端末装置に通信回線を介して接続されたコンピュータに、前記表示装置の表示特性の変化を予測させるコンピュータプログラムであって、
前記コンピュータに、
前記端末装置から送信された前記表示装置の表示特性に係る情報を受信させ、
受信した情報に基づいて、前記表示装置の表示特性の変化を予測させ、
前記表示装置の設置場所、及び、予測した結果を対応付けさせること
を特徴とするコンピュータプログラム。
【発明の詳細な説明】
【技術分野】
【０００１】
本発明は、例えば同一の施設内に分散して設置された複数の表示装置を、これらに通信回線を介して接続されたサーバ装置が保守管理し、表示装置の寿命などを予測して通知する予測システム、予測方法及びコンピュータプログラムに関する。
【背景技術】
【０００２】
例えば病院などの施設には複数の医療用表示装置が導入され、これらが施設内に分散して設置される。同一種の表示装置であっても、その表示特性には個体差があり、また表示特性の劣化具合、即ち寿命にも個体差がある。例えば液晶パネルを用いた表示装置では、表示の輝度に関する個体差はバックライトの個体差によるところが大きく、バックライトの寿命にも個体差がある。また表示装置の寿命には、表示装置の個体差のみでなく、その使用環境又は使用頻度等にも依存する。過酷な環境において高頻度で使用される表示装置は、寿命が短くなる傾向がある。
【０００３】
特許文献１においては、最大輝度が予め定められた限界輝度に達しなくなることを寿命判断の基準とし、表示装置の輝度の測定結果及びレーマン式等に基づいて最大輝度が限界輝度となるまでの時間を算出する寿命予測システムが提案されている。
【０００４】
特許文献２には、病院内の端末装置にて医用装置の各種の状態データを収集し、収集した状態データから医用装置に異常が生じているか否かを判断し、異常と判断した場合にはサービスセンタのコンピュータへ異常状態を電子メール等で通知するシステムが記載されている。このシステムでは、通知を受けたサービスセンタが、リモートコントロールでの医用装置の修復、担当のサービスステーションへの電子メール転送、及び、工場への部品の発注を行うことができる。
【先行技術文献】
【特許文献】
【０００５】
【特許文献１】特許第４３７２７３３号公報
【特許文献２】特開２００２−２３３５０４号公報
【発明の概要】
【発明が解決しようとする課題】
【０００６】
例えば医療用表示装置ではその表示特性などに高い品質が要求されるため、施設に設置された各表示装置について保守管理を行う必要がある。表示装置の寿命は、上記の特許文献１の技術を用いてある程度の予測を行うことが可能である。しかしながら施設の規模が大きいほど設置される表示装置の数が増加し、表示装置の保守管理に要する人的負荷及びコスト等が増大するという問題があった。
【０００７】
特許文献２に記載のシステムは、表示装置の保守管理を想定したものではない。また特許文献２に記載のシステムは、医用装置に異常が発生した際に通知を行う構成であるが、異常の発生に対して装置の修理又は交換等に時間を要する可能性もあり、異常が発生してから通知を行っていては手遅れとなる可能性もある。
【０００８】
また複数の表示装置を導入した施設側のユーザとしては、各表示装置をできるだけ長い期間使用することがコスト的に望ましい。このため寿命の短い表示装置については延命化が望まれるが、従来は表示装置の延命化のための技術は存在しなかった。
【０００９】
本発明は、斯かる事情に鑑みてなされたものであって、その目的とするところは、複数の表示装置が導入された施設などにおいて、表示装置の延命化に寄与することが期待できる予測システム、予測方法及びコンピュータプログラムを提供することにある。
【課題を解決するための手段】
【００１０】
本発明に係る予測システムは、通信回線を介して接続された複数の端末装置が有する表示装置の表示特性の変化を予測する予測システムであって、前記表示装置の表示特性に係る情報を取得する情報取得手段と、該情報取得手段が取得した情報に基づいて、前記表示装置の表示特性の変化を予測する予測手段と、前記表示装置の設置場所に係る情報を記憶する設置場所情報記憶部とを備え、前記表示装置毎に設置場所及び前記予測手段による予測結果を対応付けることを特徴とする。
【００１１】
また、本発明に係る予測システムは、前記設置場所記憶部が、前記端末装置に通信回線を介して接続されたサーバ装置に設けられていることを特徴とする。
【００１２】
また、本発明に係る予測システムは、前記端末装置が、前記情報取得手段と、該情報取得手段が取得した情報を前記サーバ装置へ送信する情報送信手段とを有し、前記サーバ装置は、前記情報送信手段が送信した情報を受信する情報受信手段と、前記予測手段とを有することを特徴とする。
【００１３】
また、本発明に係る予測システムは、前記設置場所情報記憶部及び前記情報取得手段は、前記端末装置又は前記表示装置に設けられ、前記端末装置又は前記表示装置は、前記情報取得手段が取得した情報、及び、前記設置場所情報記憶部が記憶した設置場所情報を、前記端末装置又は前記表示装置に通信回線を介して接続されたサーバ装置へ送信する情報送信手段を有し、前記サーバ装置は、前記情報送信手段が送信した情報を受信する情報受信手段と、前記予測手段とを有することを特徴とする。
【００１４】
また、本発明に係る予測システムは、前記表示装置の表示特性を測定する測定手段を更に備え、前記情報取得手段は、前記測定手段の測定結果及び前記測定手段が測定を行った時期に係る情報を取得するようにしてあることを特徴とする。
【００１５】
また、本発明に係る予測システムは、前記測定手段が、前記表示装置が表示を行っている際の輝度を測定するようにしてあり、前記情報取得手段は、前記測定手段が測定した輝度、前記測定手段が測定を行った際の前記表示装置の明るさ設定に係る情報、及び、前記測定手段が測定を行った時期に係る情報を取得するようにしてあることを特徴とする。
【００１６】
また、本発明に係る予測システムは、前記予測手段が、前記表示装置が表示を行う際の輝度の劣化を予測するようにしてあることを特徴とする。
【００１７】
また、本発明に係る予測システムは、前記表示装置毎の設置場所情報と前記予測手段が予測した結果を対応付けて通知する通知手段を備えることを特徴とする。
【００１８】
また、本発明に係る予測システムは、前記通知手段が、前記予測結果に基づいて、前記表示装置の交換候補情報を通知するようにしてあることを特徴とする。
【００１９】
また、本発明に係る予測方法は、端末装置が有する表示装置の表示特性に係る情報を取得する情報取得ステップと、該情報取得ステップにて取得した情報に基づいて、前記表示装置の表示特性の変化を予測する予測ステップとを含み、前記表示装置の設置場所に係る情報を記憶しておき、前記表示装置の設置場所、及び、前記予測ステップによる予測結果を対応付けることを特徴とする。
【００２０】
また、本発明に係るコンピュータプログラムは、表示装置を有する複数の端末装置に通信回線を介して接続されたコンピュータに、前記表示装置の表示特性の変化を予測させるコンピュータプログラムであって、前記コンピュータに、前記端末装置から送信された前記表示装置の表示特性に係る情報を受信させ、受信した情報に基づいて、前記表示装置の表示特性の変化を予測させ、前記表示装置の設置場所、及び、予測した結果を対応付けさせることを特徴とする。
【００２１】
本発明においては、表示装置を有する複数の端末装置とサーバ装置とが通信回線を介して相互に通信可能なシステム構成とする。なお端末装置は、通信機能を有する表示装置であってもよく、表示装置に接続されたコンピュータであってもよく、これら以外の表示装置を有する装置であってよい。
端末装置は、表示装置の表示特性に係る情報を取得してサーバ装置へ送信する。サーバ装置は、各端末装置からの情報に基づいて各表示装置の表示特性の変化を予測し、予測結果を通知する。
また本システムでは、各表示装置の設置場所に係る情報を記憶しておく。設置場所に係る情報の記憶は、各端末装置又は各表示装置が行ってもよく、サーバ装置が行ってもよく、更には別の装置が行ってもよい。各端末装置又は各表示装置が設置場所に係る情報を記憶する場合、この情報を表示特性に係る情報と共に端末装置からサーバ装置へ送信すればよい。
サーバ装置は、予測結果の通知を行う場合に、複数の表示装置についてその設置場所及び予測結果を対応付けて通知する。
【００２２】
サーバ装置からの通知を受けた管理者などは、各表示装置の表示特性変化の予測結果と、各表示装置の設置場所とを確認することができる。これにより管理者などは、寿命が短い（例えば表示特性の劣化が早い）表示装置がいずれの場所に設置され、寿命が長い表示装置がいずれの場所に設置されているかを判断することができる。寿命が短い表示装置の設置場所は、使用環境又は使用頻度等が厳しい可能性が高いと推定できるため、寿命が短い表示装置と寿命が長い表示装置とを入れ替えることにより、表示装置の延命化が期待できる。
また本システムでは各表示装置の設置場所を通知するため、例えば設置場所が近い表示装置を入れ替えるなど、表示装置の入替作業の効率化に寄与することができる。
【００２３】
また、本発明においては、表示装置の表示特性を測定する手段を備え、端末装置はこの測定結果及び測定時期に係る情報を取得してサーバ装置へ送信する。測定手段は、端末装置が備えていてもよく、表示装置が備えていてもよく、これら以外の装置が備えていてもよい。
例えば測定手段は、表示装置が表示を行った際の輝度を測定する構成とすることができる。端末装置は、測定した輝度値と、測定を行った際の明るさ設定値と、測定を行った時期に係る情報とを取得してサーバ装置へ送信する。なお測定手段が、明るさ設定を最大とした場合の最大輝度値を測定する場合、端末装置は明るさ設定値の取得及びサーバ装置への送信を行わなくてもよい。
端末装置は表示装置の輝度値などの取得及び送信を繰り返し行い、サーバ装置は受信した測定輝度値の変化などに基づいて、以後の表示輝度の変化を予測することができる。サーバ装置は、表示装置の輝度の劣化を予測し、必要な輝度に満たない状態まで劣化するまでの期間を表示装置の寿命とすることができる。
【００２４】
なお端末装置が取得してサーバ装置へ送信する情報は、測定輝度値、明るさ設定値及び測定時期に限らず、これら以外の種々の情報を取得及び送信してよい。例えば、測定輝度値から最大輝度値を推定するための情報、表示装置の内部若しくは周辺の温度情報、設置状態、部品交換時期、又は、測定手段の校正時期等の情報を端末装置が取得してサーバ装置へ送信してよい。これらの情報により、サーバ装置はより精度のよい予測を行うことが可能となる。
【００２５】
また、本発明においては、サーバ装置は予測結果に基づいて表示装置の交換候補情報を通知する。例えばサーバ装置は、寿命が閾値より短いと判断した表示装置を、交換すべき表示装置として通知することができる。また例えばサーバ装置は、寿命が長いと判断した表示装置を、交換可能な表示装置として通知することができる。このときにサーバ装置は、交換すべき表示装置の設置場所を考慮し、できるだけ近くに設置された寿命の長い表示装置を検索して、両表示装置を交換すべきと通知してもよい。
【発明の効果】
【００２６】
本発明による場合は、端末装置からの情報に基づいてサーバ装置が表示装置の表示特性の変化を予測し、各表示装置について設置場所及び予測結果を対応づけて通知する構成とすることにより、管理者などに対して表示装置の交換に必要な情報を提示することができるため、表示装置の延命化に寄与することができる。
【図面の簡単な説明】
【００２７】
【図１】本実施の形態に係るモニタ管理システムの構成を示す模式図である。
【図２】モニタの構成を示すブロック図である。
【図３】端末装置の構成を示すブロック図である。
【図４】サーバ装置の構成を示すブロック図である。
【図５】モニタの寿命予測結果の通知例を示す模式図である。
【図６】モニタが行う輝度測定処理の手順を示すフローチャートである。
【図７】端末装置が行う測定結果送信処理の手順を示すフローチャートである。
【図８】サーバ装置が行う寿命予測及び通知の処理手順を示すフローチャートである。
【図９】サーバ装置が行う寿命予測処理の手順を示すフローチャートである。
【発明を実施するための形態】
【００２８】
以下、本発明をその実施の形態を示す図面に基づき具体的に説明する。図１は、本実施の形態に係るモニタ管理システムの構成を示す模式図である。図において１００は病院又は会社等の施設であり、施設１００には部屋Ａ、部屋Ｂ及び部屋Ｃ等の複数の部屋が設けられている。各部屋Ａ〜Ｃには、モニタ１及び端末装置３が一又は複数設置されている。端末装置３は、例えばＰＣ（Personal Computer）などであり、画像表示のために一又は複数のモニタ１が接続される。なお本実施の形態においては、１台の端末装置３に１台のモニタ１が接続される構成とするが、１台の端末装置３に複数のモニタ１を接続してもよい。
【００２９】
各端末装置３は、ネットワークＮＷを介して通信を行う機能を搭載している。これにより施設１００内に設置された複数の端末装置３は、相互に情報の送受信を行うことができると共に、ＬＡＮ（Local Area Network）又はインターネット等のネットワークＮＷを介してサーバ装置５との間で通信を行うことができる。なお、各端末装置３の通信は、有線通信又は無線通信のいずれであってもよい。
【００３０】
本実施の形態に係るサーバ装置５は、施設１００に設置されたモニタ１を管理する装置である。サーバ装置５は、施設１００内に設置されていてもよく、施設１００外に設置されていてもよい。本実施の形態に係るモニタ管理システムでは、モニタ１の表示特性値の測定を定期的又は任意のタイミング等で行い、測定した表示特性値を端末装置３が取得してサーバ装置５へ送信する。サーバ装置５は、各端末装置３から受信したモニタ１の表示特性値に基づいて、各モニタ１の寿命予測を行い、予測結果を各モニタ１の設置場所に関する情報と共に通知する処理を行う。
【００３１】
例えばサーバ装置５がインターネットを介して端末装置３との通信を行い、サーバ装置５を施設１００の外部に設置可能な構成とした場合、モニタ１の管理に係る作業を施設１００の管理者などが行うのではなく、外部業者に委託することが可能となり、更なる管理負荷の軽減が可能となる。
【００３２】
図２は、モニタ１の構成を示すブロック図である。本実施の形態に係るモニタ１は、液晶パネル１１を用いて画像表示を行ういわゆる液晶モニタである。モニタ１は、制御部１０、液晶パネル１１、パネル駆動部１２、バックライト１３、ライト駆動部１４、画像信号入力部１５、通信部１６、操作部１７、記憶部１８及び測定部１９等を備えて構成されている。
【００３３】
制御部１０は、ＣＰＵ（Central Processing Unit）などの演算処理装置を用いて構成されている。制御部１０は、記憶部１８又は図示しないＲＯＭ（Read Only Memory）等に記憶された制御プログラムを読み出して実行することにより、入力された画像信号に基づく液晶パネル１１の駆動制御、及び、明るさ設定などに応じたバックライト１３の駆動制御等を行う。また制御部１０は、測定部１９による表示画面の輝度測定、及び、測定結果の端末装置３への送信等の処理を行う。
【００３４】
液晶パネル１１は、複数の画素がマトリクス状に配され、各画素の透過率をパネル駆動部１２からの駆動信号に応じて変化させることにより画像を表示する表示デバイスである。パネル駆動部１２は、制御部１０から与えられた入力画像に応じて、液晶パネル１１を構成する各画素を駆動するための駆動信号を生成して出力する。
【００３５】
バックライト１３は、例えばＬＥＤ（Light Emitting Diode）又はＣＣＦＬ（Cold Cathode Fluorescent Lamp）等の光源を用いて構成され、液晶パネル１１の背面側から光を照射する。バックライト１３は、ライト駆動部１４から与えられる駆動電圧又は駆動電流により発光する。ライト駆動部１４は、制御部１０からの制御信号に応じて駆動電圧又は駆動電流を生成し、バックライト１３へ出力する。制御部１０は、例えば操作部１７にて受け付けた明るさ設定などに応じてバックライト１３の駆動量を決定し、決定した駆動量に応じた制御信号をライト駆動部１４へ出力する。制御部１０からライト駆動部１４への制御信号は、例えばＰＷＭ（Pulse Width Modulation）方式の信号を用いることができる。
【００３６】
画像信号入力部１５は、外部機器を接続するための接続端子を有し、端末装置３が画像信号用ケーブルを介して接続される。端末装置３は画像信号用ケーブルを介してアナログ又はデジタルの画像信号をモニタ１へ出力する。端末装置３から画像信号入力部１５へ入力された画像信号は、モニタ１の制御部１０へ与えられ、制御部１０にて種々の画像処理を施してパネル駆動部１２へ与える。これにより、端末装置から入力された画像信号に基づく画像が液晶パネル１１に表示される。
【００３７】
通信部１６は、外部機器を接続するための接続端子を有し、端末装置３が通信ケーブルを介して接続される。通信部１６は、例えばＵＳＢ（Universal Serial Bus）などの規格による通信を端末装置３との間で行う。これによりモニタ１は、端末装置３に対する種々の情報送信を行うことができる。また端末装置３は、モニタ１に対して制御情報などを送信することにより、モニタ１の動作制御などを行うことが可能となる。
【００３８】
操作部１７は、モニタ１の筐体の正面周縁部又は側面等に配された一又は複数のスイッチなどを有し、これらのスイッチによってユーザの操作を受け付け、受け付けた操作内容を制御部１０へ通知する。例えばユーザは画像表示に係る明るさ設定又はカラーバランス設定の変更操作を操作部１７にて行うことができる。制御部１０は、操作部１７にて受け付けた設定内容（設定値）を記憶部１８に記憶すると共に、この設定値に応じてモニタ１内の各部の動作を制御する。例えば制御部１０は、ユーザによる明るさ設定に応じてバックライト１３の駆動量を決定する。
【００３９】
記憶部１８は、例えばＥＥＰＲＯＭ（Electrically Erasable Programmable ROM）又はフラッシュメモリ等の不揮発性のメモリ素子を用いて構成されている。制御部１０は、記憶部１８に対して種々の情報の読み出し及び書き込みを行うことができる。本実施の形態において記憶部１８は、操作部１７にて受け付けた種々の設定値、及び、測定部１９による測定結果等の情報を記憶している。
【００４０】
測定部１９は、液晶パネル１１に画像が表示されている際の輝度を測定し、測定結果を制御部１０へ与える。測定部１９は、例えば光センサなどを用いて構成され、モニタ１の筐体の液晶パネル１１を囲む枠状部分などに設けられる。例えば測定部１９は、アクチュエータ又はモータ等の動作に応じて、筐体内から液晶パネル１１の表示面上へ光センサを出入動作するように構成し、制御部１０が輝度測定を行う際に光センサを表示面上に移動させて測定を行う構成とすることができる。また例えば測定部１９は、信号線などを介してモニタ１に取り外し可能に接続される構成とし、輝度測定を行う際にユーザが測定部１９を液晶パネル１１の表示面上に装着し、信号線などをモニタ１に接続する構成であってもよい。なお本実施の形態において測定部１９は、モニタ１の表示特性値として輝度の測定を行う構成とするが、これに限るものではなく、例えば色度などのその他の特性値を測定する構成であってよい。制御部１０は、測定部１９にて測定した輝度値を測定結果として記憶部１８に記憶する。
【００４１】
モニタ１に測定部１９を内蔵することによって、例えば測定部１９を液晶パネル１１に取り付けるなどの作業をユーザが行うことなく、輝度の測定を行うことが可能となる。これにより、例えばユーザの不在時などに輝度を自動測定することができるため、ユーザの作業を阻害することなく、且つ、定期的な輝度の測定を行うことが可能となる。
【００４２】
本実施の形態においてモニタ１の制御部１０は、例えばモニタ１の稼働時間をカウントするタイマを内蔵しており、稼働時間が１００時間などの所定時間に達する毎に、測定部１９による輝度測定を行う。制御部１０は、測定部１９の測定により得られた輝度値を記憶部１８に記憶しておき、端末装置３との通信が可能となった際に、測定結果を記憶部１８から読み出して通信部１６にて端末装置３へ送信する。なお記憶部１８には、測定部１９による測定結果と共に、測定を行った日時情報及び測定を行った際の明るさ設定値を記憶しておく。制御部１０は、測定結果、測定を行った日時情報及び明るさ設定値を端末装置３へ送信する。なお制御部１０は、測定を行った際の明るさ設定値に代えて、この明るさ設定値に対応するバックライト１３の駆動量（例えば制御部１０からライト駆動部１４へ与えるＰＷＭの制御信号のデューティ比など）を記憶及び送信してもよい。
【００４３】
図３は、端末装置３の構成を示すブロック図である。端末装置３は、処理部３０、メモリ３１、ハードディスク３２、操作部３３、画像出力部３４、モニタ通信部３５及びネットワーク通信部３６等を備えて構成されている。端末装置３は、汎用のコンピュータを用いて実現され得るものである。端末装置３の処理部３０は、ＣＰＵなどの演算処理装置を用いて構成され、ハードディスク３２に記憶されたプログラムを読み出して実行することにより、種々の演算処理を行う。本実施の形態において処理部３０は、モニタ１から輝度測定の結果を取得してサーバ装置５へ送信する処理を行う。
【００４４】
メモリ３１は、ＳＲＡＭ（Static Random Access Memory）又はＤＲＡＭ（Dynamic Random Access Memory）等のメモリ素子で構成され、処理部３０の演算処理に伴って生成された種々のデータを一時的に記憶する。ハードディスク３２は、磁気ディスク装置などを用いて構成され、処理部３０が実行する種々のプログラム及びこの実行に必要な種々のデータを記憶している。操作部３３は、マウス及びキーボード等の装置を用いて構成されるものであり、ユーザの操作を受け付けて処理部３０へ操作内容を通知する。
【００４５】
画像出力部３４は、処理部３０が生成した表示用の画像を、モニタ１に適したアナログ又はデジタルの画像信号に変換し、変換した画像信号をモニタ１へ出力する。モニタ通信部３５は、例えばＵＳＢの規格の通信ケーブルを介してモニタ１との通信を行う。ネットワーク通信部３６は、例えばＬＡＮ又はインターネット等のネットワークＮＷを介してサーバ装置５との通信を行う。
【００４６】
本実施の形態において端末装置３の処理部３０は、例えばモニタ１にて測定部１９による輝度測定が行われた場合に、モニタ１から測定結果を取得する処理を行う。例えば処理部３０は、端末装置３の起動時などの所定タイミングにてモニタ１との通信を行い、測定部１９による輝度測定がおこなわれており、且つ、その測定結果を未取得である場合に測定結果の取得を行う構成とすることができる。また例えばモニタ１が測定部１９による輝度測定を行った後に端末装置３へ測定完了の通知を与え、これに応じて端末装置３の処理部３０が測定結果の取得を行う構成とすることができる。また例えばモニタ１が自発的に輝度測定を行うのではなく、端末装置３からの指示に応じて輝度測定を行う構成としてもよく、この場合には端末装置３の処理部３０が所定タイミングで測定指示をモニタ１に与え、その応答として測定結果を取得してもよい。処理部３０は、モニタ１から取得した輝度の測定結果（測定を行った日時情報及び明るさ設定値等の情報を含む）を、ハードディスク３２に記憶する。なお測定結果などの記憶場所は、端末装置３に内蔵されたハードディスク３２に限定されず、例えば端末装置３に対してＵＳＢ又はＬＡＮ等にて接続される外付けのハードディスクに記憶してもよい。
【００４７】
また端末装置３の処理部３０は、モニタ１から取得してハードディスク３２に記憶した輝度の測定結果を、ネットワーク通信部３６にてサーバ装置５へ送信する処理を行う。処理部３０は、測定結果のサーバ装置５への送信を、例えば毎月１日の午前１時などの所定日時に行ってもよく、また例えば１００日毎などの所定周期で行ってもよく、モニタ１から測定結果を取得する都度行ってもよい。
【００４８】
図４は、サーバ装置５の構成を示すブロック図である。サーバ装置５は、処理部５０、メモリ５１、ハードディスク５２、操作部５３、表示部５４及び通信部５５灯を備えて構成されている。サーバ装置５は、汎用のコンピュータを用いて実現され得るものである。なおサーバ装置５を別に設けるのではなく、端末装置３のいずれかをサーバ装置として共用する構成としてもよい。
【００４９】
サーバ装置５の処理部５０は、ＣＰＵなどの演算処理装置を用いて構成され、ハードディスク５２に記憶されたプログラムを読み出して実行することにより、種々の演算処理を行う。本実施の形態において処理部５０には、プログラムの実行によって寿命予測処理部６１及び予測結果通知部６２等がソフトウェア的な機能ブロックとして設けられ、モニタ１の寿命を予測する処理及びその結果を通知する処理等を行う。
【００５０】
メモリ５１は、ＳＲＡＭ又はＤＲＡＭ等のメモリ素子で構成され、処理部５０の演算処理に伴って生成された種々のデータを一時的に記憶する。ハードディスク５２は、磁気ディスク装置などを用いて構成され、処理部５０が実行する種々のプログラム及びこの実行に必要な種々のデータを記憶している。本実施の形態においてハードディスク５２には、施設１００内におけるモニタ１の設置場所に関する情報を含むモニタ設置場所情報と、モニタ１から受信した輝度の測定結果及びこれを用いた寿命予測の結果等を含むモニタ寿命情報とを記憶している。なおこれらの情報の記憶場所は、サーバ装置５に内蔵されたハードディスク５２に限定されず、例えばサーバ装置５に対してＵＳＢ又はＬＡＮ等にて接続される外付けのハードディスクに記憶してもよい。
【００５１】
操作部５３は、マウス及びキーボード等の装置を用いて構成されるものであり、ユーザの操作を受け付けて処理部５０へ操作内容を通知する。表示部５４は、液晶モニタなどを用いて構成されるものであり、サーバ装置５とは別体として設けられるものであってよい。表示部５４は、処理部５０から与えられた画像を表示する。通信部５５は、ＬＡＮ又はインターネット等のネットワークＮＷを介して複数の端末装置３との通信を行う。
【００５２】
本実施の形態においてサーバ装置５の処理部５０は、複数の端末装置３から送信されるモニタ１の輝度の測定結果を通信部５５にて受信し、受信した測定結果をハードディスク５２にモニタ寿命情報として記憶する。このとき処理部５０は、輝度の測定結果と共に、モニタ１の識別情報、測定を行った日時情報及び測定を行った際の明るさ設定値等の情報を対応付けて記憶する。またモニタ寿命情報には、処理部５０にて寿命予測が行われた場合、その予測結果が記憶される。またモニタ寿命情報には、各モニタ１の機種名、製造番号及び使用開始日時等の情報が記憶されている。
【００５３】
またハードディスク５２のモニタ設置場所情報は、施設１００毎に設けられ、例えば施設１００にモニタ１が設置した際などに登録される情報である。モニタ設置場所情報は、機種名及び製造番号等のモニタ１を識別し得る情報と、部署及び部屋等の設置場所を識別し得る情報とを対応付けて記憶したものである。例えば識別情報ａ１０１のモニタ１が施設１００の部屋Ａに設置され、識別情報ａ１０２〜ａ１０４のモニタ１が部屋Ｂに設置され、識別情報ａ１０５のモニタ１が部屋Ｃに設置されている、などの情報である。
【００５４】
処理部５０の寿命予測処理部６１は、各端末装置３から受信した情報に基づいて、各モニタ１のバックライト１３の寿命を予測する処理を行う。寿命予測処理部６１による寿命予測は、例えば端末装置３から情報を受信する都度行ってもよく、また例えば操作部５３にて寿命予測を行う指示がユーザにより与えられた場合に行ってもよく、その他のタイミングで行ってもよい。
【００５５】
ここで、本実施の形態に係るサーバ装置５の寿命予測処理部６１が行う寿命予測処理について説明する。ただし説明する寿命予測処理は、本願出願人による特許第４３７２７３３号の公報に記載されたものを簡略化したものである。またこの寿命予測処理は一例として説明するものであり、サーバ装置５の寿命予測処理部６１が行う処理はこれに限らず、異なる方法によるものであってよい。即ち寿命予測処理部６１は、端末装置３から受信したモニタ１の情報に基づいて、このモニタ１の寿命を予測し得るものであればどのような処理を行うものであってもよい。
【００５６】
モニタ１の測定部１９による輝度測定は、ユーザが設定した明るさ設定に基づいてバックライト１３が駆動されている状態で行われる。このためサーバ装置５の寿命予測処理部６１は、モニタ１の輝度の測定結果と、このときの明るさ設定とに基づいて、モニタ１の最大輝度を算出する処理を行う。最大輝度は、以下の（１）式に基づいて算出することができる。
【００５７】
【数１】
2015106194.tif 000003
【００５８】
なお（１）式において係数ａ及びｂは、測定輝度から最大輝度を算出するための係数であり、モニタ１毎に異なる値が用いられる。例えばモニタ１の製造工程などにおいて、明るさ設定に対する輝度の変化特性を測定することにより予め係数ａ及びｂを算出しておく。算出した係数ａ及びｂは、各モニタ１が記憶していてもよく、サーバ装置５が記憶していてもよい。各モニタ１が係数ａ及びｂを記憶する構成とする場合、例えばモニタ１は記憶部１８に係数ａ及びｂを記憶しておき、処理部１０が輝度の測定結果と共に係数ａ及びｂをサーバ装置５へ送信する。又は、サーバ装置５が係数ａ及びｂを記憶する構成とする場合、例えばサーバ装置５がハードディスク５２にモニタ設置場所情報又はモニタ寿命情報と共に各モニタ１の係数ａ及びｂを記憶しておき、寿命予測を行う際に必要なモニタ１の係数ａ及びｂを読み出す。
【００５９】
最大輝度を算出した後、寿命予測処理部６１は、レーマンの式（下記の（２）式）に基づいて、モニタ１の寿命を予測する。なお下記のレーマンの式において、Ｌｍは最大輝度であり、Ｌｍ０は初期最大輝度であり、ｔはモニタ１の使用時間であり、τはレーマン係数である。
【００６０】
【数２】
2015106194.tif 000004
【００６１】
このレーマンの式に基づき、最も古くに測定した測定輝度に対応する最大輝度Ｌｍ１と、最も近時に測定した測定輝度に対応する最大輝度Ｌｍｎとを（２）式に代入することで、初期最大輝度Ｌｍ０及びレーマン係数τを算出することができる。よってサーバ装置５は、ハードディスク５２のモニタ寿命情報として、各モニタ１の最も古い測定結果及び最も新しい測定結果を少なくとも記憶しておく。寿命予測処理部６１は、モニタ１の最大輝度が限界輝度Ｌｔに達した場合を寿命とし、下記の（３）式にて限界輝度Ｌｔに達する最大使用時間Ｔｓを算出する。なお限界輝度Ｌｔは、モニタ１の設計段階などで予め定められるものであってよく、サーバ装置５を使用するモニタ１の管理者が適宜に値を設定してもよい。
【００６２】
【数３】
2015106194.tif 000005
【００６３】
寿命予測処理部６１は、上記の（３）式にて算出した最大使用時間Ｔｓと、その時点での使用時間との差分を算出することにより、限界輝度Ｌｔに達するまでに残された時間、即ちモニタ１の寿命を算出することができる。寿命予測処理部６１は、寿命予測の対象となる複数のモニタ１について測定輝度に基づく寿命予測を行い、予測結果をハードディスク５２のモニタ寿命情報に記憶する。
【００６４】
寿命予測処理の終了後、サーバ装置５の予測結果通知部６２は、寿命予測処理部６１が予測した各モニタ１の寿命を通知する処理を行う。本実施の形態においては、予測結果通知部６２は、各モニタ１の設置場所と共に、予測した各モニタ１の寿命を表示部５４に一覧表示することで通知を行う。ただし予測結果通知部６２は、例えば電子メールなどにて予測結果を各端末装置３など他の装置へ通知してもよく、また例えば紙媒体などに予測結果を印刷することで通知してもよく、その他の方法で通知を行ってもよい。
【００６５】
図５は、モニタ１の寿命予測結果の通知例を示す模式図である。図示の通知例では、モニタ１の設置場所と、モニタ１が接続されている端末装置３の名称と、モニタ１に関する情報と、モニタ１の寿命予測結果とを対応付け、複数のモニタ１についてこれらの情報を一覧表示している。本例の設置場所は、部署及び部屋等の項目に細分され、部署ａ、ｂ、ｃ…及び部屋Ａ、Ｂ、Ｃ…の組み合わせにより示される。また例えば施設１００が複数階層の建築物である場合には、設置場所に階数を含んでもよい。また例えば施設１００が複数棟の建築物を含むものである場合には、設置場所に棟を識別する番号などを含んでもよい。これらの情報は、サーバ装置５のハードディスク５２にモニタ設置場所情報として登録されたものである。
【００６６】
また本例の端末名は、各モニタ１が接続されている端末装置３に付された名称であり、例えばＡ１０、Ｂ１０、Ｂ１１、Ｃ１０…等の情報が表示される。端末名に代えて端末装置３の製造番号などを表示してもよく、表示する情報は端末装置３を識別し得る情報であればよい。なお１台の端末装置３には複数台のモニタ１が接続され得る。各モニタ１がいずれの端末装置３に接続されているかは、モニタ１の測定部１９による測定結果を端末装置３が送信する際に送信元情報をヘッダなどに含めて情報送信を行い、これを受信したサーバ装置５が受信情報のヘッダから送信元情報を取得することで判断できる。又は、サーバ装置５のハードディスク５２のモニタ設置場所情報に、各モニタ１が接続される端末装置３に関する情報を含めておく構成としてもよい。
【００６７】
また本例のモニタ１に関する情報は、機種名、製造番号及びモード等の項目に細分されている。モニタ１の機種名は、例えば機種１、機種２…等の情報であり、複数のモニタ１が共通の機種であり得る。また製造番号は、例えば５ケタの数値であり、複数のモニタ１でこの数値が重複することはない。モードは、モニタ１の表示モードでありＤＩＣＯＭ（Digital Imaging and COmmunication in Medicine）などのモードが表示される。各モニタがいずれの表示モードで表示を行っているかは、モニタ１が測定結果を送信する際に、測定結果と共に表示モードに関する情報を送信することで、サーバ装置５が判断することができる。
【００６８】
また本例のモニタ寿命予測は、寿命時間、到達予測日及び交換推奨等の項目に細分されている。寿命時間は、上述の（１）〜（３）式に基づく寿命予測にて算出された時間であり、本例では算出された時間に対してある程度の時間幅を持たせたものを表示している。到達予測日は、算出した寿命時間と、モニタ１の使用頻度などとに基づいてサーバ装置５が算出した日付を表示している。例えばモニタ１の測定部１９による輝度測定が１００時間などの所定周期で行われる場合、サーバ装置５は輝度測定が行われた頻度（輝度測定が行われた間隔）に基づいてモニタ１の使用頻度を推定することができる。交換推奨は、寿命予測により算出された時間が例えば１０００時間など所定時間に満たないモニタ１に対して、モニタ１の交換を促すべくアスタリスク（＊）のマークが表示される。
【００６９】
このようにサーバ装置５が各モニタ１の寿命予測結果を通知することによって、サーバ装置５を使用するモニタ１の管理者は、寿命時間が短く交換が推奨されるモニタ１を容易に把握することができる。管理者は、表示された一覧情報に基づいて、寿命時間の長いモニタ１を抽出し、これを寿命が短いモニタ１との交換対象として選択することができる。また本実施の形態においては寿命予測結果と共に各モニタ１の設置場所が表示されるため、寿命時間が短いモニタ１との交換対象を、例えば同じ部署に設置されたモニタ１、又は、近隣の部屋に設置されたモニタ１等から選択することができる。
【００７０】
図６は、モニタ１が行う輝度測定処理の手順を示すフローチャートである。モニタ１の制御部１０は、前回の輝度測定からの経過時間をタイマなどにて計時しており、前回の輝度測定から所定時間が経過したか否かを判定する（ステップＳ１）。前回の輝度測定から所定時間が経過している場合（Ｓ１：ＹＥＳ）、制御部１０は、測定部１９を動作させて輝度測定を行う（ステップＳ２）。制御部１０は、測定結果である輝度値を記憶部１８に記憶して（ステップＳ３）、ステップＳ５へ処理を進める。なおステップＳ３において制御部１０は、測定結果である輝度値と共に、測定を行った際の明るさ設定、及び、測定を行った日時等の情報を記憶部１８に記憶する。
【００７１】
また前回の輝度測定から所定時間が経過していない場合（Ｓ１：ＮＯ）、制御部１０は、記憶部１８に未送信の測定結果が記憶されているか否かを判定する（ステップＳ４）。未送信の測定結果が記憶されていない場合（Ｓ４：ＮＯ）、制御部１０は、ステップＳ１へ処理を戻す。未送信の測定結果が記憶されている場合（Ｓ４：ＹＥＳ）、制御部１０は、ステップＳ５へ処理を進める。
【００７２】
次いで制御部１０は、通信部１６にて端末装置３との通信が可能であるか否かを判定する（ステップＳ５）。端末装置３との通信が不可能である場合（Ｓ５：ＮＯ）、制御部１０は、ステップＳ１へ処理を戻す。端末装置３との通信が可能である場合（Ｓ５：ＹＥＳ）、制御部１０は、記憶部１８に記憶した測定結果を、測定の際の明るさ設定及び日時等の情報と共に、通信部１６にて端末装置３へ送信し（ステップＳ６）、ステップＳ１へ処理を戻す。
【００７３】
図７は、端末装置３が行う測定結果送信処理の手順を示すフローチャートである。端末装置３の処理部３０は、モニタ通信部３５にてモニタ１から輝度の測定結果を受信したか否かを判定する（ステップＳ２１）。測定結果を受信した場合（Ｓ２１：ＹＥＳ）、処理部３０は、受信した測定結果をハードディスク３２に記憶し（ステップＳ２２）、ステップＳ２４へ処理を進める。
【００７４】
また測定結果を受信していない場合（Ｓ２１：ＮＯ）、処理部３０は、ハードディスク３２にサーバ装置５へ未送信の測定結果が記憶されているか否かを判定する（ステップＳ２３）。未送信の測定結果が記憶されていない場合（Ｓ２３：ＮＯ）、処理部３０は、ステップＳ２１へ処理を戻す。未送信の測定結果が記憶されている場合（Ｓ２３：ＹＥＳ）、処理部３０は、ステップＳ２４へ処理を進める。
【００７５】
次いで処理部３０は、ネットワーク通信部３６にてサーバ装置５との通信が可能であるか否かを判定する（ステップＳ２４）。サーバ装置５との通信が不可能である場合（Ｓ２４：ＮＯ）、処理部３０は、ステップＳ２１へ処理を戻す。サーバ装置５との通信が可能である場合（Ｓ２４：ＹＥＳ）、処理部３０は、ハードディスク３２に記憶した測定結果を読み出して、ネットワーク通信部３６にてサーバ装置５へ送信し（ステップＳ２５）、ステップＳ２１へ処理を戻す。
【００７６】
図８は、サーバ装置５が行う寿命予測及び通知の処理手順を示すフローチャートである。サーバ装置５の処理部５０は、通信部５５にて端末装置３からモニタ１の輝度の測定結果を受信したか否かを判定する（ステップＳ４１）。測定結果を受信した場合（Ｓ４１：ＹＥＳ）、処理部５０は、受信した測定結果をハードディスク５２のモニタ寿命情報に、いずれのモニタ１の測定結果かを識別可能なよう、モニタ１の識別情報などに対応付けて記憶する（ステップＳ４２）。
【００７７】
次いで処理部５０は、受信した測定結果が、このモニタ１に関して２回目以降の測定に関するものであるか否かを判定する（ステップＳ４３）。測定結果が１回目のものである場合（Ｓ４３：ＮＯ）、処理部５０は、ステップＳ４１へ処理を戻す。測定結果が２回目以降のものである場合（Ｓ４３：ＹＥＳ）、処理部５０は、このモニタ１に関する最も古い測定結果及び最も新しい測定結果を用いて、寿命予測処理を行う（ステップＳ４４）。処理部５０は、寿命予測処理による予測結果をハードディスク５２のモニタ寿命情報に記憶する（ステップＳ４５）。処理部５０は、モニタ１の寿命の予測結果を、ステップＳ４１にて受信した測定結果の送信元の端末装置３へ電子メールなどで通知し（ステップＳ４６）、ステップＳ４１へ処理を戻す。
【００７８】
端末装置３から測定結果を受信していない場合（Ｓ４１：ＮＯ）、処理部５０は、操作部５３に対する操作によってモニタ１の寿命予測結果の表示要求が与えられたか否かを判定する（ステップＳ４７）。表示要求が与えられていない場合（Ｓ４７：ＮＯ）、処理部５０は、ステップＳ４１へ処理を戻す。表示要求が与えられた場合（Ｓ４７：ＹＥＳ）、処理部５０は、ハードディスク５２に記憶したモニタ寿命情報を読み出すと共に（ステップＳ４８）、モニタ設置場所情報を読み出す（ステップＳ４９）。処理部５０は、読み出した情報に基づいて、図５に示した通知画面を作成し（ステップＳ５０）、作成した通知画面を表示部５４に表示して（ステップＳ５１）、ステップＳ４１へ処理を戻す。
【００７９】
図９は、サーバ装置５が行う寿命予測処理の手順を示すフローチャートであり、図８に示したフローチャートのステップＳ４４にて行う処理である。サーバ装置５の寿命予測処理部６１は、ハードディスク５２にモニタ寿命情報として記憶したモニタ１の輝度の測定結果から、最も古い測定結果及び最も新しい測定結果を抽出し、この２つの測定結果について（１）式に基づき最大輝度の算出を行う（ステップＳ６１）。算出した２つの最大輝度値を用い、寿命予測処理部６１は、（２）式に基づいて初期最大輝度Ｌｍ０及びレーマン係数τを算出する（ステップＳ６２）。
【００８０】
次いで寿命予測処理部６１は、算出した初期最大輝度Ｌｍ０及びレーマン係数τと、予め設定された限界輝度Ｌｔとを（３）式に代入することで最大使用時間Ｔｓを算出する（ステップＳ６３）。寿命予測処理部６１は、算出した最大使用時間Ｔｓと、その時点での使用時間との差分を算出することにより、モニタ１の寿命を算出し（ステップＳ６４）、寿命予測処理を終了する。
【００８１】
以上の構成の本実施の形態に係るモニタ管理システムは、モニタ１が接続された端末装置３とサーバ装置５とがネットワークＮＷを介して相互に通信可能なシステム構成である。端末装置３は、モニタ１の表示特性に係る情報、例えば輝度値を取得してサーバ装置へ送信する。サーバ装置５は、各端末装置３からの情報に基づいて、各モニタ１の表示特性の変化（劣化）を予測し、予測結果を通知する。また本実施の形態に係るモニタ管理システムは、サーバ装置５のハードディスク５２に各モニタ１の設置場所に係る情報を記憶しておく。サーバ装置５は、予測結果を通知する際に、各モニタ１についてその設置場所及び予測結果を対応付けて通知する。
【００８２】
サーバ装置５からの通知によりモニタ１の管理者などは、各モニタ１の表示特性変化の予測結果と、各モニタ１の設置場所とを確認することができる。これにより管理者などは、寿命が短い（表示特性の劣化が早い）モニタ１がいずれの場所に設置され、寿命が長いモニタ１がいずれの場所に設置されているかを判断することができる。寿命が短いモニタ１の設置場所は、使用環境又は使用頻度等の条件が厳しい可能性が高いと推定できるため、寿命が短いモニタ１と寿命が長いモニタ１とを入れ替えることにより、モニタ１の延命化が期待できる。また本システムでは、各モニタ１の設置場所を通知することによって、例えば設置場所が近いモニタ１を入れ替えるなど、モニタ１の入替作業の効率化に寄与することができる。
【００８３】
また、モニタ１は輝度測定を行う測定部１９を備え、端末装置３は測定部１９による測定結果（即ち輝度値）と、測定の際の明るさ設定と、測定を行った時期に係る情報とをモニタ１から取得してサーバ装置５へ送信する。モニタ１は測定部１９による輝度測定を繰り返し行い、端末装置３はモニタ１から測定結果の取得及び取得した測定結果のサーバ装置５への送信を繰り返し行い、サーバ装置５は端末装置３から受信した測定結果に基づいてモニタ１の表示の際の輝度値の変化を予測することができる。サーバ装置５は、モニタ１の輝度の劣化を予測し、限界輝度に満たない状態まで劣化するまでの期間をモニタ１の寿命とすることができる。
【００８４】
なお本実施の形態においては、モニタ１の輝度測定結果を用いてサーバ装置５が（１）〜（３）式に基づく寿命予測を行う構成としたが、モニタ１の寿命予測の方法はこれに限らず、その他の種々の方法を採用してよい。本実施の形態においてはモニタ１の輝度を測定することによりバックライト１３の寿命を予測するものであるが、バックライト１３以外の部品（例えば液晶パネル１１など）の寿命を予測することでモニタ１の寿命を予測する方法を採用してよい。故に、モニタ１にて行う測定は輝度値の測定に限らず、その他の種々の表示特性を測定する構成であってよい。
【００８５】
またモニタ１は液晶パネル１１を用いて表示を行う液晶表示装置としたが、これに限るものではなく、例えばＰＤＰ（Plasma Display Panel）などで表示を行う表示装置であってよい。またモニタ１及び端末装置３を別体の装置としたが、これに限るものではなく、例えばノートパソコン又はタブレット端末等のように、モニタ及び端末装置が一体となった構成であってもよい。またモニタ１にて測定した輝度値を端末装置３が取得してサーバ装置５へ送信する構成としたが、これに限るものではなく、モニタ１がネットワークＮＷを介した通信を行う機能を有している場合には、モニタ１からサーバ装置５へ直接的に測定結果などの情報を送信する構成としてよい（この場合もモニタ及び端末装置が一体の構成とみなすことができる）。
【００８６】
またモニタ１が測定部１９を備える構成としたが、これに限るものではなく、例えば端末装置３が測定部１９を備える構成であってよく、また例えばその他の装置が測定部１９を備えて端末装置３がこの装置から測定結果を取得する構成としてもよい。また測定部１９が輝度測定を行った際の明るさ設定値をサーバ装置５へ送信する構成としたが、測定部１９による測定を最大輝度設定で行う構成とした場合、サーバ装置５へ明るさ設定を送信する必要はなく、（１）式による最大輝度算出の演算を行う必要はない。
【００８７】
また、バックライト１３の駆動量から輝度又は最大輝度を算出し、算出した輝度値をサーバ装置５へ送信する構成としてもよい。例えばモニタ１の内部に光センサ又は温度センサ等を設け、センサの検知結果に応じてバックライト１３をフィードバック制御している場合、バックライト１３の駆動量からその輝度又は最大輝度を精度よく推測することが可能である。これにより、モニタ１に測定部１９を設ける必要がなくなる。なおサーバ装置５へバックライト１３の駆動量を送信し、受信した駆動量に応じてサーバ装置５が最大輝度を算出する構成とすることもできる。
【００８８】
（変形例１）
上述の実施の形態においては、複数のモニタ１の設置場所に関する情報をサーバ装置５のハードディスク５２にモニタ設置場所情報として一括して記憶しておく構成としたが、これに限るものではない。変形例１に係るモニタ管理システムでは、各モニタ１が自身の設置場所に関する情報を記憶部１８に記憶しておく。この設置場所に関する情報は、施設１００にモニタ１を設置する際などに、ユーザ又は管理者等が各モニタ１にて操作部１７を操作して設定することができる。端末装置３は、測定部１９による輝度の測定結果及び測定の際の明るさ設定等の情報と共に、設置場所に関する情報をモニタ１から取得してサーバ装置５へ送信する。
【００８９】
この構成により、例えばモニタ１を設置又は移設等した後、設置場所に関する情報をその場でモニタ１に設定することができる。よって、例えばモニタ１を設置した作業者が、サーバ装置５の設置場所へ戻ってモニタ１の設置場所に関する情報を設定するというような手間を省くことができる。
【００９０】
またモニタ１の設置場所に関する情報を、このモニタ１に接続された端末装置３がハードディスク３２に記憶しておく構成としてもよい。この場合、端末装置３は、モニタ１から取得した情報をサーバ装置５へ送信する際に、モニタ１の設置場所に関する情報を付加して情報送信を行えばよい。
【００９１】
（変形例２）
上述の実施の形態においては、端末装置３がモニタ１の輝度の測定結果、測定の際の明るさ設定及び測定を行った時期に関する情報を取得してサーバ装置５へ送信する構成としたが、モニタ１及び端末装置３からサーバ装置５へ送信する情報はこれらに限らない。例えば測定輝度値から（１）式にて最大輝度値を算出するための係数ａ及びｂをモニタ１又は端末装置３が記憶し、この係数ａ及びｂを端末装置３からサーバ装置５へ送信する構成とすることができる。
【００９２】
またモニタ１に温度センサを搭載して測定部１９のセンサ周辺の温度又はモニタ１内の温度等を測定し、測定温度を端末装置３が取得してサーバ装置５へ送信する構成とすることができる。このような温度情報をサーバ装置５が取得することによって、測定部１９により測定した輝度値に対して温度補正をサーバ装置５が行うことができ、より精度のよい寿命予測を行うことが可能となる。
【００９３】
またモニタ１が縦置き又は横置きのいずれの設置態様で使用するかをユーザが選択可能な構成である場合、モニタ１が縦置き又は横置きのいずれで設置されているかを端末装置３が取得してサーバ装置５へ送信する構成とすることができる。例えばモニタ１が縦置き又は横置きのいずれであるかに応じて、測定部１９による輝度の測定結果に対する周辺温度の影響に差が生じるため、上記のような温度補正を行う際にモニタの設置態様を考慮することで温度補正の精度を高めることができる。
【００９４】
またモニタ１のバックライト１３の交換を行った時期に関する情報を端末装置３が取得してサーバ装置５へ送信する構成とすることができる。モニタ１の輝度測定結果に基づいて寿命予測を行う方法では、バックライト１３の寿命を予測しているため、バックライト１３を交換した場合にはそれ以前の測定結果は以後の寿命予測に不要な情報となる。そこでバックライト１３の交換時期をサーバ装置５へ知らせることによって、交換後のバックライト１３に関する寿命予測を精度よく行うことができる。なお寿命予測をバックライト１３以外の部品（例えば液晶パネル１１など）について行う構成の場合には、この部品の交換時期を端末装置３がサーバ装置５へ送信する構成とすればよい。
【００９５】
またモニタ１の測定部１９が測定に用いる光センサなどの校正時期に関する情報を端末装置３が取得してサーバ装置５へ送信する構成とすることができる。光センサの校正が行われることによって、測定部１９の測定結果に差異が生じる。このためサーバ装置５が光センサの校正時期を把握することによって、例えば校正前の測定結果は以後の寿命予測に用いない、また例えば校正の影響を相殺すべく測定結果の補正を行うなどの処理をサーバ装置５が行うことが可能となり、より精度のよい寿命予測を行うことが可能となる。
【００９６】
（変形例３）
また本実施の形態においては、サーバ装置５がモニタ１の寿命予測の結果を通知する場合、図５に示すように交換を推奨する寿命が短いモニタ１に対してアスタリスク（＊）を付して交換を促す構成とした。変形例３に係るサーバ装置５は、寿命が短いと予測したモニタ１に対し、交換対象とすべき寿命が長いモニタ１を検索し、検索したモニタ１を交換候補として通知する。例えばサーバ装置５は、寿命予測を行った複数のモニタ１に関し、寿命が長いと予測したモニタ１を上位から順に抽出して交換候補としてよい。
【００９７】
またサーバ装置５は、単に寿命が長いモニタ１を交換候補とするのではなく、各モニタ１の設置場所又は機種名等を考慮して交換候補を決定する構成としてよい。この場合、例えばサーバ装置５には施設１００の各部屋の位置関係又は距離等に関する情報を記憶しておき、寿命が短いモニタ１の近隣の部屋に設置されている寿命の長いモニタ１を交換候補と決定する構成とすることができる。また更にサーバ装置５は、例えば施設１００の見取り図を表示し、この見取り図上に寿命の短いモニタ１及びこれの交換候補となるモニタ１の位置を表示して通知を行ってもよい。
【００９８】
また例えばサーバ装置５は、モニタ１の機種名（又は型番等）を記憶しておき、同一機種同士、又は、画面サイズが同じであるなどスペックが似ている機種同士を、交換候補として通知する構成としてもよい。これにより例えば病院のように診療科又は用途等に合わせた機種を導入しているような施設１００においては、より効果的なモニタ１の交換作業が可能となる。
【００９９】
なお上述の実施の形態及び変形例においては、サーバ装置５がモニタ１の寿命予測、予測結果及び設置場所情報の対応付け、並びに、予測結果の通知等の処理を行う構成とした。処理能力が高く且つ常時稼働しているサーバ装置５にこれらの処理を行わせることは有用である。しかし、サーバ装置５と複数の端末装置３とはネットワークＮＷを介して接続されており、各種情報の送受信を適宜に行うことができるから、サーバ装置５が行う上記の処理のいずれかを端末装置３が行う構成とすることも可能である。又は、サーバ装置５を別に設けることなく、端末装置３が上記の処理の全てを行う構成としてもよい。
【符号の説明】
【０１００】
１  モニタ（表示装置）
３  端末装置
５  サーバ装置
１０  制御部
１１  液晶パネル
１２  パネル駆動部
１３  バックライト
１４  ライト駆動部
１５  画像信号入力部
１６  通信部
１７  操作部
１８  記憶部
１９  測定部（測定手段）
３０  処理部（情報取得手段、情報送信手段）
３１  メモリ
３２  ハードディスク
３３  操作部
３４  画像出力部
３５  モニタ通信部
３６  ネットワーク通信部
５０  処理部（情報受信手段、予測手段、通知手段）
５１  メモリ
５２  ハードディスク（設置場所情報記憶部）
５３  操作部
５４  表示部
５５  通信部
６１  寿命予測処理部
６２  予測結果通知部
１００  施設
【図１】
2015106194.tif 000006
【図２】
2015106194.tif 000007
【図３】
2015106194.tif 000008
【図４】
2015106194.tif 000009
【図５】
2015106194.tif 000010
【図６】
2015106194.tif 000011
【図７】
2015106194.tif 000012
【図８】
2015106194.tif 000013
【図９】
2015106194.tif 000014